(57)【要約】【課題】携帯電話とプリンタを接続することで、携帯用サイト以外の詳細情報を簡単に得ることができるようにして、さらにこれまでは、携帯用の画面では限られていた広告表示をプリンタから紙に出力することで画面の大きさにとらわれることなく表示できるようにすることである。【解決手段】インターネットに接続可能な携帯電話とプリンタを接続して携帯用サイトの印刷を行う場合、携帯用サイトの情報に、携帯の画面では、表示出来ない詳細情報サイトに切り換えて印刷をすることを特徴とする。詳細情報に広告表示を付加する場合は広告表示用サイトに切り換えて印刷をする。広告表示は、ＰＣからは閲覧できず、プリンタで出力したときのみ印刷し、また、広告表示は、印刷する大きさにより、広告料金が異なる。また、ＰＣで閲覧できるサイトの広告表示より安いことを特徴とする。【選択図】        図１
2004220322.tif 000002
【特許請求の範囲】
【請求項１】
インターネットに接続可能な携帯電話とプリンタを接続して、携帯用サイトの印刷を行う場合、携帯用サイトから、携帯の画面表示出来ない詳細情報サイトに切り換えて、携帯の画面で表示出来ない詳細情報の印刷をすることを特徴とする印刷システム。
【請求項２】
前記詳細情報に広告表示を付加する場合は広告表示用サイトに切り換えて印刷をすることを特徴とする請求項１記載の印刷システム。
【請求項３】
前記広告表示は、ＰＣからは閲覧できず、プリンタで出力したときのみ印刷することを特徴とする請求項２記載の印刷システム。
【請求項４】
前記広告表示は、印刷する大きさにより、広告料金が異なることを特徴とする請求項２記載の印刷システム。
【請求項５】
前記広告表示の広告料金は、ＰＣで閲覧できるサイトの広告表示より安いことを特徴とする請求項２記載の印刷システム。
【発明の詳細な説明】
【０００１】
【発明の属する技術分野】
本発明は、広告表示が可能な印刷システムに関するものである。
【０００２】
【従来の技術】
従来、携帯電話の画面表示を出力できるプリンタは、画面情報のみで、それ以外の情報は、印刷できなかった。また、インターネットの携帯用サイトを自動的に別のホームページに切り換えたりできない。
【０００３】
【発明が解決しようとする課題】
従来のインターネットに接続できる携帯電話は、携帯の液晶画面の大きさに限りがあるので、携帯用サイト以外の詳細な情報を得ることができない。詳細な情報を得るためには、携帯用サイトと類似の情報をもつＰＣ閲覧用ホームページをＰＣで検索しなければならなかった。本発明は、携帯用サイトに接続したときに、簡単に携帯サイト以外の詳細情報を得ることを可能にするものであり、携帯用サイトの内容に関連するものだけでなくこれまでは出来なかった広告表示も可能にすることである。
【０００４】
【課題を解決するための手段】
本発明は、上記の問題点を解消するためになされたもので、本発明に係わる第１の発明〜第５の発明の目的は携帯電話とプリンタを接続することで、携帯用サイト以外の詳細情報を簡単に得ることができるようにして、さらにこれまでは、携帯用の画面では限られていた広告表示をプリンタから紙に出力することで画面の大きさにとらわれることなく表示できるようにすることである。
【０００５】
本発明に係わる第１の発明は、インターネットに接続可能な携帯電話とプリンタを接続して携帯用サイトの印刷を行う場合、携帯用サイトの情報に、携帯の画面では、表示出来ない詳細情報サイトに切り換えて印刷をすることを特徴とする。
【０００６】
本発明に係わる第２の発明は、上記の詳細情報に広告表示を付加する場合は広告表示用サイトに切り換えて印刷をすることを特徴とする。
【０００７】
本発明に係わる第３の発明は、上記の広告表示は、ＰＣからは閲覧できず、プリンタで出力したときのみ印刷することを特徴とする。
【０００８】
本発明に係わる第４の発明は、上記の広告表示は、印刷する大きさにより、広告料金が異なることを特徴とする。
【０００９】
本発明に係わる第５の発明は、上記の広告表示の広告料金は、ＰＣで閲覧できるサイトの広告表示より安いことを特徴とする。
【００１０】
以上、本発明を整理して要約すれば以下の構成に集約できる。
【００１１】
（１）インターネットに接続可能な携帯電話とプリンタを接続して、携帯用サイトの印刷を行う場合、携帯用サイトから、携帯の画面表示出来ない詳細情報サイトに切り換えて、携帯の画面で表示出来ない詳細情報の印刷をすることを特徴とする印刷システム。
【００１２】
（２）前記詳細情報に広告表示を付加する場合は広告表示用サイトに切り換えて印刷をすることを特徴とする前記（１）記載の印刷システム。
【００１３】
（３）前記広告表示は、ＰＣからは閲覧できず、プリンタで出力したときのみ印刷することを特徴とする前記（２）記載の印刷システム。
【００１４】
（４）前記広告表示は、印刷する大きさにより、広告料金が異なることを特徴とする前記（２）記載の印刷システム。
【００１５】
（５）前記広告表示の広告料金は、ＰＣで閲覧できるサイトの広告表示より安いことを特徴とする前記（２）記載の印刷システム。
【００１６】
【発明の実施の形態】
以下、本発明の実施の形態を図面を参照して説明する。
【００１７】
図１は、本発明の構成を示す図である。
【００１８】
１０は、インターネット接続可能な携帯電話である。携帯電話１０には、インターネットでダウンロードしたデータをプリンタの印字用コマンドに変換するプリンタドライバ１１がある。１２は、携帯電話の表示画面で閲覧できる携帯用サイトである。携帯用サイト１２は、プリンタ出力用である印字用詳細データサイト１３のホームページアドレスの格納先がある。携帯用サイトの詳細情報をもつホームページは、携帯用サイトを作成するときにあらかじめ設定しておく。詳細情報がないときは、格納先にＮＵＬＬを設定しておく。参照したホームページアドレスがＮＵＬＬのときは、詳細情報は、印刷できないので、携帯用サイトの情報を従来通り、携帯液晶画面に表示する。１３は、印字用詳細データサイトで携帯の液晶画面で表示しきれない情報をもつ。携帯電話にプリンタが接続されている場合は、携帯用サイトの接続を中止し、１３の印字用詳細データサイトに接続し直す。１４は、広告用データサイトであり、１３の印字用詳細データに広告表示契約がある場合に広告表示を付加する。１４の広告用データサイトは、ＰＣで閲覧できるホームページの広告表示より、プリンタと携帯電話と接続して出力したときのみの表示なので、広告料金は安く設定する。１５は携帯電話とプリンタを接続するインターフェースである。
【００１９】
２０はデータ出力用のプリンタである。
【００２０】
図２は、携帯電話を中心に本発明の処理の流れを示すフローチャートである。
【００２１】
Ｓ１でインターネット接続可能な携帯電話１０で携帯用サイト１２に接続を行う。Ｓ２で携帯電話１０がプリンタ２０と接続されているかチェックする。プリンタ２０に接続されていない場合は、Ｓ３で携帯電話１０の液晶画面に携帯用サイト１２の情報の表示を行う。プリンタ２０と接続されている場合は、Ｓ４の処理に進む。Ｓ４では、携帯電話１０は、携帯用サイト１２に格納されている詳細データ用サイト１３のアドレスを参照して、詳細用データに接続を切り換える。Ｓ５で携帯電話１０は詳細データ用サイト１３の表示データを受信する。Ｓ６でプリンタ２０から出力する詳細データに広告表示を付加する広告表示契約があるかチェックする。広告表示契約がないときはＳ９の処理へ進む。広告表示契約がある場合は、Ｓ７で携帯電話１０の接続先を広告用データサイト１４に切り換える。広告用データサイト１４のホームページアドレスは、詳細データ用サイト１３に格納されている。広告用データサイト１４は、プリンタ出力のみ公開されていて、ＰＣから閲覧することは出来ない。Ｓ８で携帯電話１０は広告データを受信する。
【００２２】
Ｓ９で詳細データ用サイト１３あるいは広告用データサイト１４から受信したホームページ表示用のＨＴＭＬデータをプリンタで出力可能な印字コマンドに携帯電話１０で備えているプリンタドライバ１１で変換する。Ｓ１０で変換した印字データをプリンタ２０へ携帯電話１０から送信する。Ｓ１１でプリンタ２０から詳細用データあるいは広告用データを印字する。
【００２３】
以上の処理により、携帯電話１０の画面表示できない情報を簡単に紙で得られる。
【００２４】
図３は、詳細データに広告表示を付加した場合の出力結果を示した図である。
【００２５】
３０は、詳細データと広告表示を同一ページに出力した場合の図で、詳細データを出力したフッタ位置に広告表示を付加する。
【００２６】
３１は、詳細データと広告表示別ページに出力した場合の図である。別ページに出力した場合の広告表示の大きさは、広告表示契約の金額で決定する。広告表示契約の金額は、同一ページ印刷が一番安く設定する。別ページ表示は、出力領域の大きさで決定し、大きいほど高く設定する。ただし全面印刷の金額は、ＰＣでは、閲覧できないので、ＰＣで閲覧可能なホームページの広告表示契約より安く設定する。
【００２７】
【発明の効果】
以上説明したように、本発明によれば、携帯電話とプリンタを接続することで、携帯用サイト以外の詳細情報を簡単に得ることができるようにして、さらにこれまでは、携帯用の画面では限られていた広告表示をプリンタから紙に出力することで画面の大きさにとらわれることなく表示できるようになる。
【図面の簡単な説明】
【図１】本発明の構成図
【図２】本発明の処理の流れを示すフローチャート
【図３】本発明の広告表示出力結果を示す図
【符号の説明】
１０  携帯電話
１１  プリンタドライバ
１２  携帯用サイト
１３  印字用詳細データサイト
１４  広告用データサイト
１５  インターフェース
２０  プリンタ
３０  広告表示同一ページ
３１  広告表示別ページ
【図１】
2004220322.tif 000003
【図２】
2004220322.tif 000004
【図３】
2004220322.tif 000005